(57)【要約】【課題】美容液を含浸させるべきシート体の少なくとも一部に冷却機能を有する素材を用いることにより、使用前に冷却することなく容易に顔に冷感を与えるられるようにする。【解決手段】他の汎用合成繊維であるポリエステル、ナイロン−６及びポリプロピレンよりも熱伝導度が充分に高いエチレン−ビニルアルコール繊維を少なくとも一部に含むシート体を、人間の顔の形状に合せて孔部及び切込を打ち抜いた後に、美容液を含浸させた。【選択図】図４
2006025848.tif 000002
【特許請求の範囲】
【請求項１】
繊維の少なくとも一部が汎用合成繊維よりも熱伝導度の高い高熱伝導性の合成繊維からなる不織布、織布又は編布のシート体を、人間の顔の形状に合せて孔部及び切込を打ち抜いた後に、美容液を含浸させたことを特徴とするウェットマスク。
【請求項２】
前記少なくとも一部の繊維が、合成繊維であることを特徴とする請求項１に記載のウェットマスク。
【請求項３】
前記シート体が、天然繊維を主体とする層と前記高熱伝導性の合成繊維を主体とする層との少なくとも２層を積層して構成したことを特徴とする請求項１に記載のウェットマスク。
【発明の詳細な説明】
【技術分野】
【０００１】
本発明は、顔の皮膚に美容液を供給する際に、顔面に載置して使用されるウェットマスクに関する。
【背景技術】
【０００２】
従来より、顔の皮膚に美容液を供給する際に使用される美容用具として、フェイスマスクが使われている（例えば、特許文献１参照。）。また、フェイスマスクの使用方法として、美容液を含浸させる前又は含浸させた後に加熱又は冷却することにより、使用時に顔に温感又は冷感を与えることが開示されている（例えば、特許文献２参照。）。
【０００３】
ところが、一般に、乾燥状態で市販されているフェイスマスクは、使用に際して使用者が美容液を含浸させなければならず、フェイスマスクを浸漬する際に美容液を貯留するための容器が必要となるだけでなく、フェイスマスク全体に適量の美容液を均一に含ませることが困難であった。
【０００４】
そこで、従来のフェイスマスクでは、美容液を含浸させた状態で開閉可能な密封シールを備えたシート状の収納袋に収納したウェットマスクが市販されている。このウェットマスクによれば、使用者はマスクに美容液を含浸させることなく、収納袋から取り出して直ちに使用することができるとともに、マスクの全体に適量の美容液を均一に含浸させておくことができる。
【特許文献１】特開２００２−１７２０２２号公報
【特許文献２】特開２００３−１１６９５７号公報
【発明の開示】
【発明が解決しようとする課題】
【０００５】
しかしながら、従来のウェットマスクでは、使用時に顔の皮膚の表面を急速に冷却して冷感を与えるようにしたものがなかった。上記特許文献２には、美容液を含浸させたフェイスマスクを使用前に冷却することが開示されており、これを美容液を含浸済みのウェットマスクに適用して顔に冷感を与えることはできるが、ウェットマスクを冷却するためには流水や冷蔵庫等の手段が必要であり、外出先等で容易に冷感を得ることはできない。
【０００６】
この発明の目的は、美容液を含浸させるべきシート体の少なくとも一部に冷却機能を有する素材を用いることにより、使用前に冷却することなく容易に顔に冷感を与えることができるウェットマスクを提供することにある。
【課題を解決するための手段】
【０００７】
この発明のウェットマスクは、上記の課題を解決するための手段として、以下の構成を備えたものである。
【０００８】
（１）繊維の少なくとも一部が汎用合成繊維よりも熱伝導度の高い高熱伝導性繊維からなる不織布、織布又は編布のシート体を、人間の顔の形状に合せて孔部及び切込を打ち抜いた後に、美容液を含浸させたことを特徴とする。
【０００９】
この構成においては、繊維の少なくとも一部が高熱伝導性繊維からなるシート体に美容液が含浸されている。したがって、美容液を含浸させる処理や冷却処理を行うことなく顔に載置した際に、美容液が顔の皮膚に供給されるとともに、顔の皮膚の熱が高熱伝導性繊維を介して外部に素早く伝導する。
【００１０】
（２）前記少なくとも一部の繊維が、合成繊維であることを特徴とする。
【００１１】
この構成においては、繊維の少なくとも一部が高熱伝導性の合成繊維からなるシート体に美容液が含浸されている。したがって、天然繊維と異なり、含浸された美容液を吸水して膨潤することがない。
【００１２】
（３）前記シート体が、天然繊維を主体とする層と前記高熱伝導性の合成繊維を主体とする層との少なくとも２層を積層して構成したことを特徴とする。
【００１３】
この構成においては、天然繊維を主体とする層と前記高熱伝導性の合成繊維を主体とする層とが積層されてシート体が形成される。したがって、天然繊維を主体とする層において充分な量の美容液が保持されるとともに、高熱伝導性の合成繊維を主体とする層によって顔の皮膚の熱が外部に素早く伝導する。
【発明の効果】
【００１４】
上記の構成により、この発明によれば以下の効果を奏することができる。
【００１５】
（１）美容液を含浸させる処理や冷却処理を行うことなく、顔に載置した際に直ちに美容液を顔の皮膚に供給することができるとともに、顔の皮膚の熱を高熱伝導性繊維を介して外部に素早く伝導させることができる。これによって、顔の皮膚の表面に冷感を与えることができる。
【００１６】
（２）少なくとも一部の繊維が、合成繊維であるため、天然繊維と異なり、含浸された美容液を吸水して膨潤することがなく、長時間の接触によっても皮膚にムレを感じることがない。
【００１７】
（３）天然繊維を主体とする層と前記高熱伝導性の合成繊維を主体とする層とを積層してシート体を形成したことにより、天然繊維を主体とする層において充分な量の美容液を保持することができるとともに、高熱伝導性の合成繊維を主体とする層によって顔の皮膚の熱を外部に素早く伝導させて冷感を得ることができる。
【発明を実施するための最良の形態】
【００１８】
図１は、この発明の実施形態に係るウェットマスクを示す平面図である。この実施形態に係るウェットマスク１０は、一例として、人間の顔面に対向する略円形のシートにおける口、鼻及び目に接触する部分に孔部２Ａ〜２Ｃを形成し、鼻に接触する部分に切込３Ｂを形成し、さらに、周囲の５箇所に切込３Ａを形成したものである。切込３Ａは、平面状のウェットマスク１０を複数の曲面によって構成される顔の皮膚に密着させるためのものである。また、孔部２Ａ〜２Ｃ及び切込３Ｂは、美容水等を含浸したウェットマスク１０を顔に被せた際に、視界を完全に塞ぐことがなく、かつ、自由に呼吸できるようにするためのものである。
【００１９】
図２は、上記ウェットマスクの構成を模式的に示す拡大断面図である。ウェットマスク１０は、天然繊維を主体とする基層１Ａの表裏面に、少なくとも一部の繊維が汎用合成繊維よりも熱伝導度の高い高熱伝導性繊維であるエチレン−ビニルアルコール繊維を主体とする機能層１Ｂ，１Ｃを積層して３層に構成されている。一例として、基層１Ａを構成する繊維は６０ｇ／ｍ2 、機能層１Ｂ，１Ｃのそれぞれを構成する繊維は３０ｇ／ｍ2 である。
【００２０】
基層１Ａの主体である天然繊維は、液体を繊維内に吸収し、吸水性が高い。このため、基層１Ａは、多量の美容液を保持する。一方、機能層１Ｂ，１Ｃの主体であるエチレン−ビニルアルコール繊維は、合成繊維であるために繊維内に液体を殆ど吸収せず、一般的に天然繊維よりも熱伝導度の高い合成繊維のなかでも、最も熱伝導度が高く、速乾性が高い。また、機能層１Ｂ，１Ｃは、ウェットマスク１０の外側面に位置している。このため、ウェットマスク１０を室温環境内で顔の皮膚に載置すると、機能層１Ｂ，１Ｃによって高温側である顔の皮膚の熱を低温側である室内に伝え易いとともに、速乾性が高いことから気化熱による放熱効果が得られ、顔の皮膚に冷感が与えられる。
【００２１】
なお、基層１Ａと機能層１Ｂ及び機能層１Ｃとは、互いの繊維が絡み合って積層状態を保っている。したがって、各層は、必ずしも図２に示すように明確に峻別できる状態で積層されているわけではない。
【００２２】
また、基層１Ａの表面のみに機能層１Ｂを積層した２層構造とすることもできる。この場合に、基層１Ａの裏面側を皮膚に接触させて使用する際には、基層１Ａの裏面に汎用合成繊維を積層し、含浸された美容液を吸水して膨潤した基層１Ａの天然繊維が皮膚に直接接触することを防止するようにしてもよい。
【００２３】
図３は、この発明の実施形態に係るウェットマスクの製造工程を説明する図である。この発明の実施形態に係るウェットマスクは、以下の工程によって形成される。まず、図３（Ａ）に示すように、基層１Ａを構成する主として天然繊維をシート状に搬送しつつ、その上下面に機能層１Ｂ，１Ｃを構成する主としてエチレン−ビニルアルコール繊維をシート状に搬送し、これらを一体的に積層し、シート体１を形成する。
【００２４】
次いで、図３（Ｂ）に示すように、少なくとも一部の繊維が汎用合成繊維よりも熱伝導度の高い高熱伝導性繊維であるエチレン−ビニルアルコール繊維によって構成された不織布、織布又は編布のシート体１を、打ち抜き加工によって孔部２（２Ａ〜２Ｃ）及び切込３（３Ａ，３Ｂ）を含むウェットマスク１０の形状に打ち抜く。
【００２５】
さらに、図３（Ｃ）に示すように、シート体１から打ち抜かれたウェットマスク１０を、一例として３回、所定の形状に折り畳み、図３（Ｄ）に示すように、包装用袋を構成するシート７Ａとシート７Ｂとの感に挟み込んで、シート７Ａ及びシート７Ｂの周囲をシールして袋状に形成する。このとき、シート７Ａ及びシート７Ｂによる包装用袋の上辺が開放している状態で、袋内にノズル６から適量の美容液を吐出させた後、包装用袋の上辺をシールする。
【００２６】
図４は、上記ウェットマスクの素材となる高熱伝導性繊維の熱伝導度の測定結果を他の汎用合成繊維と比較して示す図である。同図に示すように、この発明の実施形態に係るウェットマスクの素材であるエチレン−ビニルアルコール繊維の熱伝導度は、他の汎用合成繊維であるポリエステル、ナイロン−６及びポリプロピレンよりも充分に高い。
【００２７】
天然繊維のうちで綿、麻及びシルクの熱伝導度は、エチレン−ビニルアルコール繊維の熱伝導度よりも高いが、天然繊維は吸水性が高く、水分を吸水して膨潤する。このため、天然繊維を素材とするシート体によって構成したマスクに美容液を含浸させると、繊維自体が美容液を含み、長時間にわたって顔に載置すると不快なムレ感を与える。このため、天然繊維は冷感を付与すべきウェットマスクの素材としては不適当である。
【００２８】
上記のようにして作成されたこの発明の実施形態に係るウェットマスクは、顔に載置した際に直ちに美容液を顔の皮膚に供給することができる。このため、使用前にマスクに美容液を含浸させる作業を行う必要がなく、マスクを浸漬するために美容液を貯留する容器を準備する必要がない。
【００２９】
また、この発明の実施形態に係るウェットマスクを顔に載置すると、顔の熱がマスクの顔の皮膚に接触している内側面から外気に触れている外側面に素早く伝導し、顔の皮膚温度が急速に低下する結果、心地よい冷感を顔の皮膚に与えることができる。このため、使用前に流水や冷蔵庫等を用いて予めウエットマスクを冷却しておくことなく、容易に冷感を与えることができる。
【００３０】
上記の例では、マスク４の全面に均一に高熱伝導性繊維を含ませることとしたが、マスク４において顔の特定の部分、例えば、目の周囲、頬又は額のうちの一部又は全部のみに高熱伝導性繊維を集中的に配置するようにしてもよい。顔の他の部分との比較により、特定の部分がより低温に感じられ、より強い冷感を与えることができる。この場合、図３（Ａ）に示した工程において、機能層１Ｂ又は機能層１Ｃを構成する繊維シートの幅を基層１Ａの幅よりも小さくし、図３（Ｂ）における打ち抜き加工時に所定の位置に対向する部分に搬送する。
【図面の簡単な説明】
【００３１】
【図１】この発明の実施形態に係るウェットマスクを示す平面図である。
【図２】同ウェットマスクの構成を模式的に示す拡大断面図である。
【図３】上記ウェットマスクの製造工程を説明する図である。
【図４】上記ウェットマスクの素材となる高熱伝導性繊維の熱伝導度の測定結果を他の汎用合成繊維と比較して示す図である。
【符号の説明】
【００３２】
１  シート体
１Ａ  基層（天然繊維を主体とする層）
１Ｂ  機能層（高熱伝導性の合成繊維を主体とする層）
２  孔部
３  切込
１０  ウェットマスク
【図１】
2006025848.tif 000003
【図２】
2006025848.tif 000004
【図３】
2006025848.tif 000005
【図４】
2006025848.tif 000006